(57)【要約】【課題】遠い場所までコンベアを容易に移動させることができるとともに、コンベア上の搬送物の手選別作業を容易に実施することができる。【解決手段】コンベア７と、このコンベア７を駆動する油圧モータ８と、コンベア７の外部に配置され、油圧モータ８を駆動する圧油を供給可能な外部供給装置とを備えるとともに、コンベア７が、自走式機械１に搭載され、水平方向に延設保持されるものから成り、自走式機械１は、走行体２と、コンベア７上を搬送される搬送物の手選別を可能にする手選別架台６と、油圧モータ８を駆動する圧油を供給可能な油圧ポンプ４ａ、及びこの油圧ポンプ４ａを駆動するエンジンを含むパワーユニット４とを有する。【選択図】図１
2008105758.tif 000002
【特許請求の範囲】
【請求項１】
コンベアと、このコンベアを駆動する油圧モータと、上記コンベアの外部に配置され、上記油圧モータを駆動する圧油を供給可能な外部供給装置とを備えたコンベア駆動装置において、
上記コンベアが、自走式機械に搭載され、水平方向に延設保持されるものから成り、
上記自走式機械は、走行体と、上記コンベア上を搬送される搬送物の手選別を可能にする手選別架台と、上記油圧モータを駆動する圧油を供給可能な油圧ポンプ、及びこの油圧ポンプを駆動するエンジンを含むパワーユニットとを有することを特徴とするコンベア駆動装置。
【請求項２】
上記請求項１記載の発明において、
上記外部供給装置が、自走式機械から成り、
この自走式機械は、走行体と、上記コンベアに搬送物を供給可能なコンベアと、上記油圧モータを駆動する圧油を供給可能な油圧ポンプを含むパワーユニットとを有することを特徴とするコンベア駆動装置。
【請求項３】
上記請求項１記載の発明において、
上記油圧ポンプと上記油圧モータとを接続する配管と、この配管から分岐させた分岐管路とを設けるとともに、
上記配管と上記分岐管路の分岐点と、上記油圧ポンプとの間の上記配管部分に、この配管部分を連通、遮断可能な逆止弁付き継手を設け、
上記外部供給装置から供給される圧油を、上記分岐管路を介して上記油圧モータに供給可能にしたことを特徴とするコンベア駆動装置。
【請求項４】
上記請求項３記載の発明において、
上記分岐点と上記油圧モータとを連絡する上記配管部分に、流量調整弁を設けたことを特徴とするコンベア駆動装置。
【請求項５】
上記請求項４記載の発明において、
上記流量調整弁が、手動操作式のものから成るとともに、この流量調整弁を、上記手選別架台に乗り込んだ作業員による操作が可能な位置に配置したことを特徴とするコンベア駆動装置。
【請求項６】
上記請求項５記載の発明において、
上記流量調整弁を、上記コンベアの上流側に対応する上記手選別架台部分の近傍に配置したことを特徴とするコンベア駆動装置。
【発明の詳細な説明】
【技術分野】
【０００１】
本発明は、コンベアの外部に配置されて、このコンベアを駆動する油圧モータに圧油を供給可能な外部供給装置を備えたコンベア駆動装置に関する。
【背景技術】
【０００２】
この種の従来技術として、特許文献１に示されるものがある。この従来技術は、車輪を有する可動式の延長コンベアと、この延長コンベアの外部に配置され、延長コンベアを駆動する圧油を供給可能な外部供給装置とを備えている。延長コンベアは傾斜状に配置されている。また、外部供給装置は、走行体を有する自走式機械から成っている。
【０００３】
この従来技術は、自走式機械に接近させて延長コンベアを配置させ、自走式機械に備えられる油圧ポンプの圧油を、延長コンベアの油圧モータに供給して、この延長コンベアを駆動するようになっている。
【特許文献１】特開２００４−１５０１４９公報
【発明の開示】
【発明が解決しようとする課題】
【０００４】
上述した延長コンベアは、車輪を有する可動式になっていることから、近い距離の移動には有効と思えるものの、遠い場所まで移動させたいような場合には、この延長コンベアに対する煩雑な移動操作が必要となってしまう。また、延長コンベアは傾斜状態に配置されていることから、この延長コンベア上の搬送物を作業員が手選別したいような場合には、その選別作業がやりにくくなる。
【０００５】
本発明は、上述した従来技術における実状からなされたもので、その目的は、遠い場所までコンベアを容易に移動させることができるとともに、コンベア上の搬送物の手選別作業を容易に実施することができるコンベア駆動装置を提供することにある。
【課題を解決するための手段】
【０００６】
この目的を達成するために、本発明は、コンベアと、このコンベアを駆動する油圧モータと、上記コンベアの外部に配置され、上記油圧モータを駆動する圧油を供給可能な外部供給装置とを備えたコンベア駆動装置において、上記コンベアが、自走式機械に搭載され、水平方向に延設保持されるものから成り、上記自走式機械は、走行体と、上記コンベア上を搬送される搬送物の手選別を可能にする手選別架台と、上記油圧モータを駆動する圧油を供給可能な油圧ポンプ、及びこの油圧ポンプを駆動するエンジンを含むパワーユニットとを有することを特徴としている。
【０００７】
このように構成した本発明は、コンベアが走行体を有する自走式機械に搭載されているので、この自走式機械を走行させることにより、遠い場所までコンベアを容易に移動させることができる。また、コンベアは水平方向に延設保持されるとともに、自走式機械が手選別を可能にする手選別架台を有するので、作業員がこの自走式機械の手選別架台に乗り込むことにより、コンベア上の搬送物の手選別作業を容易に実施することができる。
【０００８】
また、コンベアが搭載される自走式機械に備えられる油圧ポンプを駆動することなく、すなわち、この油圧ポンプを駆動するエンジンを作動させることなく、外部供給装置から供給される圧油によってコンベアの油圧モータを駆動させることができるので、自走式機械の手選別架台に乗り込んだ作業員は、エンジンの排ガスの影響を受けることなく、また、エンジンによる振動を受けることなく、コンベア上の搬送物の手選別作業を実施することができる。
【０００９】
また、本発明は上記発明において、上記外部供給装置が、自走式機械から成り、この自走式機械は、走行体と、上記コンベアに搬送物を供給可能なコンベアと、上記油圧モータを駆動する圧油を供給可能な油圧ポンプを含むパワーユニットとを有することを特徴としている。
【００１０】
このように構成した本発明は、手選別作業が実施される自走式機械を所望の作業場所まで走行させる際に、上述のコンベアの油圧モータに圧油を供給可能な外部供給装置である自走式機械も容易に所望の作業場所まで走行させることができる。
【００１１】
また、本発明は上記発明において、上記油圧ポンプと上記油圧モータとを接続する配管と、この配管から分岐させた分岐管路とを設けるとともに、上記配管と上記分岐管路の分岐点と、上記油圧ポンプとの間の上記配管部分に、この配管部分を連通、遮断可能な逆止弁付き継手を設け、上記外部供給装置から供給される圧油を、上記分岐管路を介して上記油圧モータに供給可能にしたことを特徴としている。
【００１２】
このように構成した本発明は、手選別作業が実施されるコンベアが搭載される自走式機械において、手選別作業を実施する際には、例えば逆止弁付き継手を遮断状態に保持することにより、外部供給装置からの圧油が分岐管路を介して上述のコンベアの油圧モータに供給される。したがって、コンベアが駆動して所望の手選別作業を実施することができる。
【００１３】
また、上述の自走式機械において、例えば作業員が手選別架台に乗り込まずに行われる手選別によらない搬送作業を実施する際には、逆止弁付き継手を連通状態に保持し、この自走式機械に備えられるエンジンを駆動し、このエンジンによってこの自走式機械に備えられる油圧ポンプを作動させることにより、この油圧ポンプの圧油が逆止弁付き継手を介して油圧モータに供給される。したがって、コンベアが駆動して手選別によらない搬送作業を実施することができる。
【００１４】
また、本発明は上記発明において、上記分岐点と上記油圧モータとを連絡する上記配管部分に、流量調整弁を設けたことを特徴としている。
【００１５】
このように構成した本発明は、流量調整弁を操作して油圧モータに供給される圧油の流量を調整することにより、コンベアの移動速度を手選別作業に好適な速度とすることができる。
【００１６】
また、本発明は上記発明において、上記流量調整弁が、手動操作式のものから成るとともに、この流量調整弁を、上記手選別架台に乗り込んだ作業員による操作が可能な位置に配置したことを特徴としている。
【００１７】
このように構成した本発明は、手選別架台に乗り込んだ作業員が、コンベアの移動速度を手選別作業に好適な速度に容易に手動調整することができる。
【００１８】
また、本発明は上記発明において、上記流量調整弁を、上記コンベアの上流側に対応する上記手選別架台部分の近傍に配置したことを特徴としている。
【００１９】
このように構成した本発明は、手選別架台に、複数の作業員がコンベアの移動方向に沿うように乗り込んで手選別作業を実施する場合、コンベアの最上流側に位置する作業員によってコンベアの移動速度を手選別作業に好適な速度に調整できるので、全ての作業員に対して安定したコンベア７の移動速度による手選別作業が可能となる。
【発明の効果】
【００２０】
本発明は、コンベアが、手選別架台を有する自走式機械に搭載され、水平方向に延設保持されるものから成ることから、自走式機械を走行させることにより、遠い場所までコンベアを容易に移動させることができるとともに、コンベア上の搬送物の手選別作業を容易に実施させることができ、この手選別作業の能率を向上させることができる。また、外部供給装置から供給される圧油によってコンベアの油圧モータを駆動させることができるので、自走式機械の手選別架台に乗り込んだ作業員は、エンジンの排ガスの影響を受けることなく、また、エンジンによる振動を受けることなく、コンベア上の搬送物の手選別作業を実施することができ、優れた作業環境を確保できる。
【発明を実施するための最良の形態】
【００２１】
以下，本発明に係るコンベア駆動装置を実施するための最良の形態を図に基づいて説明する。
【００２２】
図１は本発明に係るコンベア駆動装置の第１実施形態を示す側面図、図２は図１に示す第１実施形態の平面図、図３は図１に示す第１実施形態の要部正面図である。図４は図１に示す第１実施形態に備えられる油圧回路の要部を示す回路図、図５は図４に示す油圧回路の動作を説明する図である。
【００２３】
本発明に係るコンベア装置の第１実施形態は、図１−３に示すように、水平方向に延設保持され、油圧モータ８によって駆動するコンベア７が搭載される自走式機械１と、コンベア７の油圧モータ８を駆動する圧油を供給可能な外部供給装置、例えば自走式機械２１とを備えている。
【００２４】
コンベア７が搭載される自走式機械１は、走行体２と、この走行体２上に配置されるフレーム３と、このフレーム３上に設けられるパワーユニット４とを備えている。このパワーユニット４には、図４に示す油圧ポンプ４ａ、タンク４ｂの他、油圧ポンプ４ａを駆動する図示しないエンジンが含まれている。エンジンマフラ５はパワーユニット４から外部に突出するように配置されている。
【００２５】
フレーム３上には、コンベア７上を搬送される搬送物の手選別を行なう作業員の乗り込みを可能にする手選別架台６を設けてある。コンベア７の最上流側には搬送物を受けるホッパ９を設けてある。コンベア７の移動方向に沿って、手選別された搬送物が投入される複数の手選別シュート１０を設けてある。手選別架台６には、作業員の安全保護を図る手摺り１１と、作業員の手選別架台６への乗り込みを容易にするはしご１２とを取り付けてある。
【００２６】
図４に示すように、自走式機械１のパワーユニット４に含まれる油圧ポンプ４ａ及びタンク４ｂは、それぞれ配管１３，１４を介して油圧モータ８に接続させてある。また、配管１３，１４からそれぞれ分岐させた分岐管路１８，１９を設けてある。配管１３，１４と分岐管路１８，１９のそれぞれの分岐点と、油圧ポンプ４ａ，タンク４ｂとの間の配管１３，１４部分に、これらの配管１３，１４部分を連通、遮断可能な第１逆止弁付き継手１５、第２逆止弁付き継手１６を設けてある。例えば手選別作業が実施されないときには、第１逆止弁付き継手１５、第２逆止弁付き継手１６は、同図４に示すように連通状態に保持される。また、配管１３と分岐管路１８との分岐点と、油圧モータ８とを連絡する配管１３部分に、例えば手動操作式の流量調整弁１７を設けてある。
【００２７】
外部供給装置を構成する自走式機械２１は、図１，２に示すように、走行体２２と、この走行体２２の上に配置されるフレーム２３と、このフレーム２３上に設けられるパワーユニット２４と、傾斜状に配置され、上端が上述した自走式機械１のホッパ９の上方に位置するコンベア２５とを備えている。
【００２８】
この自走式機械２１のパワーユニット２４には、図４に示すように油圧ポンプ２４ａと、タンク２４ｂとが含まれている。また、この自走式機械２１は、油圧ポンプ２４ａに接続される配管２６と、タンク２４ｂに接続される配管２７とを備えている。配管２６の端部には、この端部を連通、遮断可能な第３逆止弁付き継手２８を設けてあり、配管２７の端部には、この端部を連通、遮断可能な第４逆止弁付き継手２９を設けてある。図４では、第３逆止弁付き継手２８、第４逆止弁付き継手２９のそれぞれが遮断状態に保持されていることが示されている。
【００２９】
また、この第１実施形態は、自走式機械２１の第３逆止弁付き継手２８と自走式機械１の分岐管路１８とを接続するホース３０と、自走式機械２１の第４逆止弁付き継手２９と自走式機械１の分岐管路１９とを接続するホース３１とを備えている。
【００３０】
このように構成した第１実施形態にあっては、例えばホース３０，３１を取り外した状態で、第３逆止弁付き継手２８、第４逆止弁付き継手２９を遮断状態に保ち、自走式機械１のエンジンを作動させて油圧ポンプ４ａを駆動させ、この油圧ポンプ４ａから吐出される圧油によってこの自走式機械１の走行体２を走行させることにより、自走式機械１を所望の作業場所まで移動させることができる。自走式機械２１も同様に、油圧ポンプ２４ａから吐出される圧油によってこの自走式機械２１の走行体２２を走行させることにより、自走式機械２１を所望の作業場所まで移動させ、自走式機械１に近接させて配置することができる。
【００３１】
この所望の作業場所において、図１に示すように、自走式機械２１の第３逆止弁付き継手２８と自走式機械１の分岐管路１８とをホース３０によって接続し、自走式機械２１の第４逆止弁付き継手２９と自走式機械１の分岐管路１９とをホース３１によって接続し、図５に示すように、自走式機械１の第１逆止弁付き継手１５と第２逆止弁付き継手１６とを遮断状態に保持し、自走式機械２１の第３逆止弁付き継手２８と第４逆止弁付き継手２９とを連通状態に保持することにより、自走式機械１のコンベア７上を送られる搬送物の手選別作業が可能となる。
【００３２】
この手選別作業に際しては、例えば複数の作業員のそれぞれが、はしご１２から手選別架台６に乗り込み、コンベア７の移動方向に沿うように、また、手選別シュート１０の近くとなるように整列することが行なわれる。この間、流量調整弁１７が手選別作業に好適なコンベア７の移動速度となるように、すなわち望ましい流量の圧油が油圧モータ８に供給されるように手動操作される。
【００３３】
この状態で自走式機械２１のコンベア２５を駆動して、このコンベア２５で搬送物を搬送し、その搬送物を自走式機械１のホッパ９からコンベア７に投入させるとともに、この自走式機械２１の油圧ポンプ２４ａの圧油を、自走式機械２１の配管２６、連通状態にある第３逆止弁付き継手２８、ホース３０、自走式機械１の分岐管路１８、配管１３、及び流量調整弁１７を介して油圧モータ８に供給する。
【００３４】
油圧モータ８から排出される油は、自走式機械１の配管１４、分岐管路１９、ホース３１、自走式機械２１の第４逆止弁付き継手２９、及び配管２７を介してパワーユニット２４に含まれるタンク２４ｂに戻される。これにより、自走式機械１に備えられる油圧モータ８が駆動してコンベア７が移動し、作業員によるコンベア７上の搬送物の手選別作業が可能となる。手選別された搬送物は手選別シュート１０にそれぞれ投入される。
【００３５】
なお、手選別作業が行なわれず、すなわち手選別架台６に作業員が乗り込まない状態で、コンベア７を移動させて搬送物を送る作業を行なう際などには、例えば図４に示すように、第１逆止弁付き継手１５、第２逆止弁付き継手１６を連通状態に保持し、第３逆止弁付き継手２８、第４逆止弁付き継手２９を遮断状態に保持し、自走式機械１のパワーユニット４に含まれる油圧ポンプ４ａを駆動して、この油圧ポンプ４ａの圧油を第１逆止弁付き継手１５を介して油圧モータ８に供給すればよい。このとき、油圧モータ８から排出された油は、配管１４、第２逆止弁付き継手１６を介して、パワーユニット４に含まれるタンク４ｂに戻される。すなわち、自走式機械１の保有する油圧ポンプ４ａによって油圧モータ８を駆動して、コンベア７を移動させ、所望の搬送作業を実施させることができる。
【００３６】
上述したように、この第１実施形態によれば、コンベア７が走行体２を有する自走式機械１に搭載されているので、この自走式機械１を走行させることにより、遠い場所までコンベア７を容易に移動させることができる。また、コンベア７は水平方向に延設保持されるとともに、自走式機械１が手選別を可能にする手選別架台６を有するので、作業員がこの自走式機械１の手選別架台６に乗り込むことにより、コンベア７上の手選別作業を容易に実施することができる。これらにより、手選別作業の能率を向上させることができる。また、自走式機械２１から供給される圧油によって自走式機械１に搭載されるコンベア７の油圧モータ８を駆動させるので、自走式機械１の手選別架台６に乗り込んだ作業員は、パワーユニット４に含まれるエンジンの排ガスの影響を受けることなく、また、エンジンによる振動を受けることなく、コンベア７上の搬送物の手選別作業を実施することができ、優れた作業環境を確保できる。
【００３７】
また、流量調整弁１７を操作して油圧モータ８に供給される圧油の流量を調整することにより、自走式機械１のコンベア７の移動速度を手選別作業に好適な速度とすることができ、手選別作業の作業性を向上させることができる。
【００３８】
図６は本発明の第２実施形態を示す側面図である。この第２実施形態は、手動操作式の流量調整弁１７を、自走式機械１の手選別架台６に乗り込んだ作業員による操作が可能な位置に、例えばコンベア７の下流側に対応する手選別架台６の近傍に配置した構成にしてある。その他の構成は、上述した第１実施形態と同等である。
【００３９】
このように構成した第２実施形態は、上述した第１実施形態と同等の効果が得られる他、手選別架台６に乗り込んだ作業員が、コンベア７の移動速度を手選別作業に好適な速度に容易に手動調整することができ、手選別作業の作業性に優れている。
【００４０】
図７は本発明の第３実施形態を示す側面図である。この第３実施形態は、手動操作式の流量調整弁１７を、コンベア７の上流側に対応する手選別架台６部分の近傍に配置した構成にしてある。その他の構成は、上述した第１実施形態と同等である。
【００４１】
このように構成した第２実施形態は、上述した第１実施形態と同等の効果が得られる他、手選別架台６に、複数の作業員がコンベア７の移動方向に沿うように乗り込んで手選別作業を実施する場合、コンベア７の最上流に位置する作業員によってコンベア７の移動速度を手選別作業に好適な速度に調整できるので、第２実施形態におけるのと同様に、コンベア７の移動速度を手選別作業に好適な速度に容易に手動調整できるとともに、全ての作業員に対して安定したコンベア７の移動速度による手選別作業が可能となり、さらに優れた手選別作業の作業性を確保できる。
【００４２】
なお、上記各実施形態では、手動操作式の流量調整弁１７を設けた構成にしてあるが、本発明はこのように構成することには限られず、電磁弁から成る流量調整弁を設けた構成にしてもよい。この場合、電磁弁の駆動を指示する指示操作手段は、手選別架台６に乗り込んだ作業員が操作可能となる位置に設置すると都合がよい。
【図面の簡単な説明】
【００４３】
【図１】本発明に係るコンベア駆動装置の第１実施形態を示す側面図である。
【図２】図１に示す第１実施形態の平面図である。
【図３】図１に示す第１実施形態の要部正面図である。
【図４】図１に示す第１実施形態に備えられる油圧回路の要部を示す回路図である。
【図５】図４に示す油圧回路の動作を説明する図である。
【図６】本発明の第２実施形態を示す側面図である。
【図７】本発明の第３実施形態を示す側面図である。
【符号の説明】
【００４４】
１    自走式機械
２    走行体
４    パワーユニット
４ａ  油圧ポンプ
４ｂ  タンク
６    手選別架台
７    コンベア
８    油圧モータ
１３    配管
１４    配管
１５    第１逆止弁付き継手
１６    第２逆止弁付き継手
１７    流量調整弁
１８    分岐管路
１９    分岐管路
２１    自走式機械（外部供給装置）
２２    走行体
２４    パワーユニット
２４ａ  油圧ポンプ
２４ｂ  タンク
２５    コンベア
２６    配管
２７    配管
２８    第３逆止弁付き継手
２９    第４逆止弁付き継手
３０    ホース
３１    ホース
【図１】
2008105758.tif 000003
【図２】
2008105758.tif 000004
【図３】
2008105758.tif 000005
【図４】
2008105758.tif 000006
【図５】
2008105758.tif 000007
【図６】
2008105758.tif 000008
【図７】
2008105758.tif 000009